(57)【要約】【課題】ユーザが自分の所望するタイミングで文字を切り替えることができ、ユーザの利便性を向上させることができる携帯電子機器を提供することを目的とする。【解決手段】画面上に凹凸を形成して、文字を表示する文字表示部３４と、文字表示部３４への接触を検出する入力検出部３６と、文字表示部３４への接触が予め設定された条件を満たしたことを入力検出部３６で検出したら、文字表示部３４に表示させる文字を切り替える制御部２２と、を備える。【選択図】図１
2011154558.tif 000002
【特許請求の範囲】
【請求項１】
画面上に凹凸を形成して、文字を表示する文字表示部と、
前記文字表示部への接触を検出する入力検出部と、
前記文字表示部への接触が予め設定された条件を満たしたことを前記入力検出部で検出したら、前記文字表示部に表示させる文字を切り替える制御部と、
を備えることを特徴とする携帯電子機器。
【請求項２】
画像を表示する画像表示部を更に備え、
前記制御部は、前記画像表示部に連続する複数の画像を表示させるとともに、前記文字表示部に各画像に付帯する文字を表示させることを特徴とする請求項１に記載の携帯電子機器。
【請求項３】
前記制御部は、前記文字表示部に表示される文字の切り替えに連動して、前記画像表示部に表示される画像を切り替えることを特徴とする請求項２に記載の携帯電子機器。
【請求項４】
前記制御部は、前記文字表示部の予め設定された表示開始位置から予め設定された表示終了位置まで前記凹凸を形成して、前記文字を表示させ、
前記表示開始位置から前記表示終了位置までへの接触を前記入力検出部で検出したら、前記文字表示部に表示させる文字を切り替えることを特徴とする請求項１〜３のいずれか１項に記載の携帯電子機器。
【請求項５】
前記制御部は、前記文字表示部の任意の位置への接触を前記入力検出部で検出したら、前記文字表示部の前記任意の位置から予め設定された表示終了位置まで前記凹凸を形成して、前記文字を表示させ、
前記任意の位置から前記予め設定された表示終了位置までへの接触を前記入力検出部で検出したら、前記文字表示部に表示させる文字を切り替えることを特徴とする請求項１〜３のいずれか１項に記載の携帯電子機器。
【請求項６】
前記表示終了位置の凹凸は、予め設定された終了位置を示す凹凸であり、当該凹凸の形状は、前記文字の切り替えに伴い形成される凹凸の形状と異なることを特徴とする請求項４又は５に記載の携帯電子機器。
【請求項７】
前記制御部は、任意の位置への接触を前記入力検出部で検出したら、接触を検出している間、前記文字表示部の前記任意の位置に前記凹凸を形成して文字を表示させ、接触時間が設定された時間を超えたら表示させる文字を切り替えることを特徴とする請求項１〜３のいずれか１項に記載の携帯電子機器。
【請求項８】
前記文字表示部は、凹凸の位置を切り替えることにより表示する文字を切り替えることを特徴とする請求項１〜７のいずれか１項に記載の携帯電子機器。
【請求項９】
前記文字表示部は、点字により文字を表示することを特徴とする請求項１〜８のいずれか１項に記載の携帯電子機器。
【発明の詳細な説明】
【技術分野】
【０００１】
本発明は、凹凸により文字を表示する携帯電子機器に関する。
【背景技術】
【０００２】
従来、携帯電話機において、視覚障害者に文字を認識させる手法として、音声合成によって文字を読み上げる技術が存在する。しかしながら、音声合成によって文字を読み上げると、周囲の人にも音声が伝わってしまう。それを避けるためには、イヤフォンなどの付属品を用いる必要があり、利便性に欠ける。
【０００３】
また、凹凸により文字（点字）を表示する文字表示デバイス技術が存在する（例えば、下記の非特許文献１及び特許文献１参照）。
【先行技術文献】
【特許文献】
【０００４】
【特許文献１】特開平１０−２５５１０６号公報
【非特許文献】
【０００５】
【非特許文献１】“インタラクティブ触覚ディスプレイ”、［online］、平成 ２０年５月１３日、日本放送協会、［平成２１年１２月２４日検索］、インターネット（URL：http://www.nhk.or.jp/pr/marukaji/pdf_ver/202.pdf）
【発明の概要】
【発明が解決しようとする課題】
【０００６】
非特許文献１及び特許文献１に掲載されている文字表示デバイスを用いれば、録画した動画などに付帯する字幕などの文字を点字変換エンジンで変換し、画像とともに表示することが可能である。しかしながら、文字の表示切り替えタイミングは、基本的に動画などのデータに依存する。そのため、ユーザが表示された文字を読み終わっていなくても、文字表示が切り替わってしまうという問題があった。
【０００７】
本発明は、上記に鑑みてなされたものであって、ユーザが自分の所望するタイミングで文字を切り替えることができ、ユーザの利便性を向上させることができる携帯電子機器を提供することを目的とする。
【課題を解決するための手段】
【０００８】
上述した課題を解決し、目的を達成するために、本発明は、画面上に凹凸を形成して、文字を表示する文字表示部と、前記文字表示部への接触を検出する入力検出部と、前記文字表示部への接触が予め設定された条件を満たしたことを前記入力検出部で検出したら、前記文字表示部に表示させる文字を切り替える制御部と、を備えることを特徴とする。
【０００９】
ここで、画像を表示する画像表示部を更に備え、前記制御部は、前記画像表示部に連続する複数の画像を表示させるとともに、前記文字表示部に各画像に付帯する文字を表示させることが好ましい。
【００１０】
また、前記制御部は、前記文字表示部に表示される文字の切り替えに連動して、前記画像表示部に表示される画像を切り替えることが好ましい。
【００１１】
また、前記制御部は、前記文字表示部の予め設定された表示開始位置から予め設定された表示終了位置まで前記凹凸を形成して、前記文字を表示させ、前記表示開始位置から前記表示終了位置までへの接触を前記入力検出部で検出したら、前記文字表示部に表示させる文字を切り替えることが好ましい。
【００１２】
また、前記制御部は、前記文字表示部の任意の位置への接触を前記入力検出部で検出したら、前記文字表示部の前記任意の位置から予め設定された表示終了位置まで前記凹凸を形成して、前記文字を表示させ、前記任意の位置から前記予め設定された表示終了位置までへの接触を前記入力検出部で検出したら、前記文字表示部に表示させる文字を切り替えることが好ましい。
【００１３】
また、前記表示終了位置の凹凸は、予め設定された終了位置を示す凹凸であり、当該凹凸の形状は、前記文字の切り替えに伴い形成される凹凸の形状と異なることが好ましい。
【００１４】
また、前記制御部は、任意の位置への接触を前記入力検出部で検出したら、接触を検出している間、前記文字表示部の前記任意の位置に前記凹凸を形成して文字を表示させ、接触時間が設定された時間を超えたら表示させる文字を切り替えることが好ましい。
【００１５】
また、前記文字表示部は、凹凸の位置を切り替えることにより表示する文字を切り替えることが好ましい。
【００１６】
また、前記文字表示部は、点字により文字を表示することが好ましい。
【発明の効果】
【００１７】
本発明にかかる携帯電子機器は、ユーザが自分の所望するタイミングで文字を切り替えることができ、ユーザの利便性を向上させることができるという効果を奏する。
【図面の簡単な説明】
【００１８】
【図１】携帯電子機器の一実施形態の概略構成を示すブロック図である。
【図２−１】携帯電子機器の概略構成を示す正面図である。
【図２−２】携帯電子機器の概略構成を示す側面図である。
【図３−１】携帯電子機器で画像を表示させている状態を示す説明図である。
【図３−２】携帯電子機器で画像を表示させている状態を示す説明図である。
【図４】携帯電子機器の動作の一例を示すフロー図である。
【図５−１】携帯電子機器で画像を表示させている状態を示す説明図である。
【図５−２】携帯電子機器で画像を表示させている状態を示す説明図である。
【図６】携帯電子機器の動作の一例を示すフロー図である。
【図７】携帯電子機器で画像を表示させている状態を示す説明図である。
【図８】携帯電子機器の動作の一例を示すフロー図である。
【発明を実施するための形態】
【００１９】
以下、本発明につき図面を参照しつつ詳細に説明する。なお、以下の説明により本発明が限定されるものではない。また、以下の説明における構成要素には、当業者が容易に想定できるもの、実質的に同一のもの、いわゆる均等の範囲のものが含まれる。以下においては、携帯電子機器として携帯電話機を例として説明するが、本発明の適用対象は携帯電話機に限定されるものではなく、例えば、ＰＨＳ（Personal Handyphone System）、ＰＤＡ、ポータブルナビゲーション装置、ノートパソコン等に対しても本発明は適用できる。また、文字を凹凸（点字）で表示させる機能のみを備える装置にも本発明は適用できる。
【００２０】
まず、携帯電子機器の機能の概略構成を説明する。図１は、携帯電子機器の一実施形態の機能の概略構成を示すブロック図である。携帯電子機器１０は、無線通信機能を備えた携帯電話機である。図１に示すように携帯電子機器１０は、制御部２２と、記憶部２４と、送受信部２６と、操作部２８と、音声処理部３０と、画像表示部３２と、文字表示部３４と、入力検出部３６と、を有する。
【００２１】
制御部２２は、携帯電子機器１０の全体的な動作を統括的に制御する処理部、例えばＣＰＵ（Central Processing Unit）である。すなわち、携帯電子機器１０の各種の処理が、操作部２８の操作や携帯電子機器１０の記憶部２４に保存されるソフトウェアに応じて適切な手順で実行されるように、送受信部２６、画像表示部３２等の動作を制御する。制御部２２は、記憶部２４に保存されているプログラム（例えば、オペレーティングシステムプログラム、アプリケーションプログラム等）に基づいて処理を実行する。また、制御部２２は、複数のプログラム（アプリケーション、ソフトウェア）を並列で実行することができる。
【００２２】
記憶部２４には、制御部２２での処理に利用されるアプリケーションのプログラムやデータが保存されている。具体的には、アプリケーションのプログラムとして、インターネット通信を行うアプリケーションのプログラムや、メールの送受信を行うアプリケーションのプログラム、音声データの再生を行うアプリケーションプログラム、発信、着信、通話処理を行うアプリケーションのプログラム、ワンセグ放送処理を行うアプリケーションのプログラム等が保存されている。また、データとしては、字幕などの文字が付帯された動画像データ、音声データ、文字変換のための辞書データ、アドレス帳データ等が記憶されている。
【００２３】
送受信部２６は、アンテナ２６ａを有し、基地局によって割り当てられるチャネルを介し、基地局との間でＣＤＭＡ方式などによる無線信号回線を確立し、基地局との間で電話通信及び情報通信を行う。
【００２４】
操作部２８は、例えば、電源キー、通話キー、数字キー、文字キー、方向キー、決定キー、発信キーなど、各種の機能が割り当てられた操作キー１３と専用キー１４とで構成され、これらのキーがユーザの操作により入力されると、その操作内容に対応する信号を発生させる。そして、発生した信号は、ユーザの指示として制御部２２へ入力される。
【００２５】
音声処理部３０は、マイク１５に入力される音声信号やレシーバ１６から出力される音声信号の処理を実行する。すなわち、音声処理部３０は、マイク１５から入力される音声を増幅し、ＡＤ変換（Analog Digital変換）を実行した後さらに符号化等の信号処理を施して、ディジタルの音声データに変換して制御部２２へ出力する。また、制御部２２から送られる音声データに対して復号化、ＤＡ変換（Digital Analog変換）、増幅等の処理を施してアナログの音声信号に変換してから、レシーバ１６へ出力する。
【００２６】
画像表示部３２は、液晶ディスプレイ（ＬＣＤ、Liquid Crystal Display）や、有機ＥＬ（Organic Electro-Luminescence）パネルなどで構成された表示パネルを備え、制御部２２から供給される映像データに応じた映像、画像データに応じた画像を表示パネルに表示させる。
【００２７】
文字表示部３４は、凹凸により文字（点字）を表示する表示機構であり、画像表示部３２の表示パネルの前面に配置されている。なお、文字表示部３４として、例えば、非特許文献１に記載されているような、微小なピンをマトリクス状に配列し、ピンに印加する電界を変化させることでピンを突出させて凸部を形成する表示機構を用いることができる。また、特許文献１に掲載されているような、温度が上昇すると容積が増える気体や液体を封入し、それらに熱を与えることで凸部を形成する表示機構を用いることができる。なお、凸部の突出位置は任意に設定可能である。
【００２８】
入力検出部３６は、画像表示部３２と文字表示部３４との間に配置され、ユーザが文字表示部３４の表面を触るとその接触を入力として検出するタッチパネルなどである。なお、入力検出部３６は、接触された位置や、その接触の強さ等を検出する。入力検出部３６としては、マトリクススイッチ、抵抗膜方式、表面弾性波方式、赤外線方式、電磁誘導方式、静電容量方式等種々の方式のタッチパネルを用いることができる。
【００２９】
次に、携帯電子機器の外観の構成を説明する。図２−１は、携帯電子機器の一実施形態の概略構成を示す正面図であり、図２−２は、携帯電子機器の一実施形態の概略構成を示す側面図である。携帯電子機器１０は、ヒンジで連結された２つの部材で構成した折りたたみ可能な筐体３８の内部に各部が収納された折り畳み型の携帯電話機である。
【００３０】
筐体３８には、表示部として、図１に示す画像表示部３２が設けられている。画像表示部３２の前面には、入力検出部３６が設けられており、入力検出部３６の前面には、文字表示部３４が設けられている。なお、本実施形態においては、入力検出部３６が画像表示部３２と文字表示部３４との間に設けられることとしているが、文字表示部３４の前面に設けられることとしても良い。
【００３１】
筐体３８には、通話相手の電話番号や、メール作成時等に文字を入力するための操作キー１３が複数設けられている。さらに、筐体３８には、携帯電子機器１０の通話時に音声を受け取るマイク１５、携帯電子機器１０の通話時に音声を発するレシーバ１６が設けられている。
【００３２】
次に、携帯電子機器１０の第１の処理（後述する）で実現される画像表示及び文字表示について、図３−１及び図３−２を参照しながら説明する。図３−１及び図３−２は、携帯電子機器１０の画像表示部３２によって表示される画像及び文字表示部３４によって表示される文字の例を示す図である。図３−１に示すように、制御部２２は、１画面分の画像を画像表示部３２に表示させるとともに、画像に付帯する文字を点字に変換して文字表示部３４内の予め設定された文字表示開始位置３４ａ（本例では、左下部）から予め設定された文字表示終了位置３４ｂ（本例では、右下部）に表示させる。そして、制御部２２は、ユーザの指Ｆが文字表示開始位置３４ａから文字表示終了位置３４ｂまで移動したことを検出したら、すなわち、ユーザが表示された文字を読み終わったと判定したら、図３−２に示すように、次の画面の画像及びそれに付帯する文字を表示させる。このとき、制御部２２が、文字表示開始位置３４ａ及び文字表示終了位置３４ｂを識別可能な、画像に付帯する文字と異なる凹凸を、文字表示部３４に動的に表示させるようにしても良い。また、文字表示開始位置３４ａ及び文字表示終了位置３４ｂに、ユーザが文字表示開始位置３４ａ及び文字表示終了位置３４ｂを識別可能な凹凸を文字表示部３４の表面に予め形成しておいても良い。また、文字表示開始位置３４ａは、文字表示部３４の左上など、ユーザに判りやすい位置にすると良い。同様に、文字表示終了位置３４ｂは、文字表示部３４の右下など、ユーザに判りやすい位置にすると良い。
【００３３】
次に、図４を用いて携帯電子機器１０の動作、具体的には、画像表示部３２及び文字表示部３４の制御動作について説明する。図４は、文字が付帯された動画像を表示する場合における携帯電子機器１０の第１の処理を示すフロー図である。携帯電子機器１０は、動画像の１場面毎に図４に示す処理を実行する。
【００３４】
まず、制御部２２は、ステップＳ１２として、１画面分の画像に付帯する文字を点字に変換して表示開始位置３４ａから表示終了位置３４ｂまで表示するように文字表示部３４を制御する。
【００３５】
制御部２２は、ステップＳ１４として、ユーザが文字表示部３４に触れているか否かを判定する。制御部２２は、ステップＳ１４でユーザが文字表示部３４に触れていない（Ｎｏ）と判定したら、ステップＳ１６として、ユーザが文字表示部３４に一旦触れた後離れてから一定時間以上経過しているか否かを判定する。
【００３６】
制御部２２は、ステップＳ１６でユーザが文字表示部３４に一旦触れた後離れてから一定時間以上経過していない（Ｎｏ）と判定したら、処理をステップＳ１４に進める。また、制御部２２は、ステップＳ１６でユーザが文字表示部３４に一旦触れた後離れてから一定時間以上経過した（Ｙｅｓ）と判定したら、ステップＳ１８として、表示情報（後述するように、ユーザが既に触れた文字の表示位置の情報等）の初期化を行い、処理を終了する。
【００３７】
制御部２２は、ステップＳ１４でユーザが文字表示部３４に触れている（Ｙｅｓ）と判定したら、ステップＳ２０として、「表示開始位置接触済み状態」であるか否かを判定する。ここで、「表示開始位置接触済み状態」とは、ユーザが文字表示開始位置３４ａに既に接触済み（ユーザが既に文字を読み始めている）の状態である。１画面分の画像及び文字の表示当初は「表示開始位置接触済み状態」ではないので、制御部２２は、ステップＳ２０で「表示開始位置接触済み状態」ではない（Ｎｏ）と判定し、処理をステップＳ２２に進めることになる。
【００３８】
制御部２２は、ステップＳ２０で「表示開始位置接触済み状態」ではない（Ｎｏ）と判定したら、ステップＳ２２として、ユーザが触れている位置が文字表示開始位置３４ａであるか否かを判定する。制御部２２は、ステップＳ２２でユーザが触れている位置が文字表示開始位置３４ａである（Ｙｅｓ）と判定したら、ステップＳ２４として、「表示開始位置接触済み状態」にする。また、制御部２２は、ステップＳ２２でユーザが触れている位置が文字表示開始位置３４ａではない（Ｎｏ）と判定したら、処理をステップＳ１４に進める。
【００３９】
制御部２２は、ステップＳ２０で「表示開始位置接触済み状態」である（Ｙｅｓ）と判定したら、ステップＳ２６として、ユーザが触れている位置が文字表示終了位置３４ｂであるか否かを判定する。
【００４０】
制御部２２は、ステップＳ２６でユーザが触れている位置が文字表示終了位置３４ｂではない（Ｎｏ）と判定したら、ステップＳ２８として、ユーザが触れている位置が文字表示領域内であるか否かを判定する。制御部２２は、ステップＳ２８でユーザが触れている位置が文字表示領域内である（Ｙｅｓ）と判定したら、ステップＳ３０として、表示位置（ユーザが現に触れている文字の表示位置）を表示情報として保存（記憶）する。また、制御部２２は、ステップＳ２８でユーザが触れている位置が文字表示領域内ではない（Ｎｏ）と判定したら、処理をステップＳ１４に進める。
【００４１】
制御部２２は、ステップＳ２６でユーザが触れている位置が文字表示終了位置３４ｂである（Ｙｅｓ）と判定したら、ステップＳ３２として、表示情報を参照し、ユーザが全ての文字に触れたか否かを判定する。制御部２２は、ステップＳ３２でユーザが全ての文字に触れていない（Ｎｏ）と判定したら、処理をステップＳ１４に進める。
【００４２】
制御部２２は、ステップＳ３２でユーザが全ての文字に触れた（Ｙｅｓ）と判定したら、ステップＳ３４として、「表示開始位置非接触状態」にし、ステップＳ３６として、次の画像及び文字の表示準備を行う。
【００４３】
以上の処理により、制御部２２は、１画面分の画像に付帯する文字を点字に変換して文字表示部３４内の文字表示開始位置３４ａから文字表示終了位置３４ｂに表示させる。そして、制御部２２は、ユーザの指Ｆが文字表示開始位置３４ａから文字表示終了位置３４ｂまで移動したことを検出したら、すなわち、ユーザが表示された文字を読み終わったら、次の画面の画像及びそれに付帯する文字を表示させることができる。これにより、ユーザが操作キー１３、専用キー１４などを押下することなく文字表示部３４に触れるだけでデータ（動画像データ）に依存しない自分の所望のタイミングで文字を読むことが可能となり、ユーザの利便性を向上させることができる。
【００４４】
次に、携帯電子機器１０の第２の処理（後述する）で実現される画像表示及び文字表示について、図５−１及び図５−２を参照しながら説明する。図５−１及び図５−２は、携帯電子機器１０の画像表示部３２によって表示される画像及び文字表示部３４によって表示される文字の例を示す図である。図５−１に示すように、制御部２２は、１画面分の画像を画像表示部３２に表示させた状態で、ユーザの指Ｆがユーザ任意の位置３４ｃに接触したことを検出したら、当該位置３４ｃから予め設定された文字表示終了位置３４ｄ（本例では、位置３４ｃの右側端部）に、画像に付帯する文字を表示させる。このとき、制御部２２が、文字表示終了位置３４ｄを識別可能な、画像に付帯する文字と異なる凹凸を、文字表示終了位置３４ｄに動的に表示させるようにしても良い。そして、制御部２２は、ユーザの指Ｆが位置３４ｃから文字表示終了位置３４ｄまで移動したことを検出したら、すなわち、ユーザが表示された文字を読み終わったことを検出したら、図５−２に示すように、次の画面の画像を表示させ、ユーザの次の接触に備える。
【００４５】
次に、図６を用いて携帯電子機器１０の動作、具体的には、画像表示部３２及び文字表示部３４の制御動作について説明する。図６は、文字が付帯された動画像を表示する場合における携帯電子機器１０の第２の処理を示すフロー図である。携帯電子機器１０は、動画像の１場面毎に図６に示す処理を実行する。
【００４６】
まず、制御部２２は、ステップＳ４４として、ユーザが文字表示部３４に触れているか否かを判定する。制御部２２は、ステップＳ４４でユーザが文字表示部３４に触れていない（Ｎｏ）と判定したら、ステップＳ４６として、ユーザが文字表示部３４に一旦触れた後離れてから一定時間以上経過しているか否かを判定する。
【００４７】
制御部２２は、ステップＳ４６でユーザが文字表示部３４に一旦触れた後離れてから一定時間以上経過していない（Ｎｏ）と判定したら、処理をステップＳ４４に進める。また、制御部２２は、ステップＳ４６でユーザが文字表示部３４に一旦触れた後離れてから一定時間以上経過した（Ｙｅｓ）と判定したら、ステップＳ４８として、表示情報（ユーザが既に触れた文字の表示位置の情報等）の初期化を行い、処理を終了する。
【００４８】
制御部２２は、ステップＳ４４でユーザが文字表示部３４に触れている（Ｙｅｓ）と判定したら、ステップＳ５０として、「文字表示状態」であるかを判定する。ここで、「文字表示状態」とは、ユーザが文字表示部３４に既に接触済みで文字表示部３４に文字が表示されている状態である。１画面分の画像の表示当初は「文字表示状態」ではないので、制御部２２は、ステップＳ５０で「文字表示状態」ではない（Ｎｏ）と判定し、処理をステップＳ５２に進めることになる。
【００４９】
制御部２２は、ステップＳ５０で「文字表示状態」ではない（Ｎｏ）と判定したら、ステップＳ５２として、「文字表示状態」にし、ステップＳ５４として、１画面分の文字をユーザが触れている位置３４ｃから文字表示終了位置３４ｄまで表示（図５−１参照）するように文字表示部３４を制御し、処理をステップＳ４４に進める。
【００５０】
制御部２２は、ステップＳ５０で「文字表示状態」である（Ｙｅｓ）と判定したら、ステップＳ５６として、ユーザが触れている位置が文字表示終了位置３４ｄであるか否かを判定する。
【００５１】
制御部２２は、ステップＳ５６でユーザが触れている位置が文字表示終了位置３４ｄではない（Ｎｏ）と判定したら、ステップＳ５８として、表示位置（ユーザが現に触れている文字の表示位置）を表示情報として保存（記憶）し、処理をステップＳ４４に進める。
【００５２】
制御部２２は、ステップＳ５６でユーザが触れている位置が文字表示終了位置３４ｄである（Ｙｅｓ）と判定したら、ステップＳ６０として、表示情報を参照し、ユーザが全ての文字に触れたか否かを判定する。制御部２２は、ユーザが全ての文字に触れていない（Ｎｏ）と判定したら、処理をステップＳ４４に進める。
【００５３】
制御部２２は、ステップＳ６０でユーザが全ての文字に触れた（Ｙｅｓ）と判定したら、ステップＳ６２として、「文字非表示状態」にし、ステップＳ６４として、次の画像の表示準備を行う。
【００５４】
以上の処理により、制御部２２は、ユーザが文字表示部３４に触れたことを検出したら、１画面分の画像に付帯する文字を点字に変換してユーザが触れた位置３４ｃから文字表示終了位置３４ｄに表示させる。そして、制御部２２は、ユーザの指Ｆが位置３４ｃから文字表示終了位置３４ｄまで移動したことを検出したら、すなわち、ユーザが表示された文字を読み終わったら、次の画面の画像を表示させることができる。これにより、ユーザが操作キー１３、専用キー１４などを押下することなく文字表示部３４に触れるだけでデータ（動画像データ）に依存しない自分の所望のタイミングで文字を読むことが可能となり、ユーザの利便性を向上させることができる。
【００５５】
次に、携帯電子機器１０の第３の処理（後述する）で実現される画像表示及び文字表示について、図７を参照しながら説明する。図７は、携帯電子機器１０の画像表示部３２によって表示される画像及び文字表示部３４によって表示される文字の例を示す図である。図７に示すように、制御部２２は、１画面分の画像を画像表示部３２に表示させた状態で、ユーザの指Ｆがユーザ任意の位置３４ｅに接触したことを検出したら、画像に付帯する文字を１文字ずつ位置３４ｅに順次表示させる。
【００５６】
次に、図８を用いて携帯電子機器１０の動作、具体的には、画像表示部３２及び文字表示部３４の制御動作について説明する。図８は、文字が付帯された動画像を表示する場合における携帯電子機器１０の第３の処理を示すフロー図である。携帯電子機器１０は、動画像の１場面毎に図８に示す処理を実行する。
【００５７】
まず、制御部２２は、ステップＳ７２として、ユーザが文字表示部３４に触れているか否かを判定する。制御部２２は、ステップＳ７２でユーザが文字表示部３４に触れていない（Ｎｏ）と判定したら、ステップＳ７４として、ユーザが文字表示部３４に触れていない時間が所定時間以上であるか否かを判定する。制御部２２は、ステップＳ７４でユーザが文字表示部３４に触れていない時間が所定時間以上ではない（Ｎｏ）と判定したら、処理をステップＳ７２に進める。また、制御部２２は、ステップＳ７４でユーザが文字表示部３４に触れていない時間が所定時間以上である（Ｙｅｓ）と判定したら、処理を終了する。
【００５８】
制御部２２は、ステップＳ７２でユーザが文字表示部３４に触れている（Ｙｅｓ）と判定したら、ステップＳ７６として、停止中（現在表示中）の１文字を継続して表示するか否か、すなわち、停止中（現在表示中）の１文字の表示を開始してから予め設定された時間が経過しているか否かを判定する。
【００５９】
制御部２２は、ステップＳ７６で停止中（現在表示中）の１文字を継続して表示する（Ｙｅｓ）、すなわち、停止中（現在表示中）の１文字の表示を開始してから予め設定された時間が経過していないと判定したら、ステップＳ７８として、停止中（現在表示中）の１文字を位置３４ｅに継続して表示し、処理をステップＳ７２に進める。
【００６０】
制御部２２は、ステップＳ７６で停止中（現在表示中）の１文字を継続して表示しない（Ｎｏ）、すなわち、停止中（現在表示中）の１文字の表示を開始してから予め設定された時間が経過していると判定したら、ステップＳ８０として、次の１文字を位置３４ｅに表示し、処理をステップＳ７２に進める。
【００６１】
以上の処理により、制御部２２は、１画面分の画像を画像表示部３２に表示させた状態で、ユーザの指Ｆがユーザ任意の位置３４ｅに接触したことを検出したら、画像に付帯する文字を１文字ずつ位置３４ｅに順次表示させることができる。これにより、ユーザが操作キー１３、専用キー１４などを押下することなく文字表示部３４に触れるだけでデータ（動画像データ）に依存しない自分の所望のタイミングで文字を読むことが可能となり、ユーザの利便性を向上させることができる。
【００６２】
なお、画像表示部３２は必ずしも必要ではない。また、文字表示部３４で表示される文字は、凹凸で認識可能であれば、点字に限定されない。
【００６３】
また、本実施形態においては、動画像に付帯する文字を表示する場合について説明したが、動画像に付帯しない文字、例えば、電子書籍、電子メールの表示に適用することも出来る。従来技術では、ユーザが携帯電子機器を用いて電子メールや電子書籍の閲覧を行う場合に、ユーザが文字の切り替えを行うにはキー等を操作する必要があり、ユーザが自分の所望するタイミングで文字の切り替えを行うことは容易ではないという問題があった。本実施形態によれば、ユーザが文字を読み終わったら次の表示画面に自動的に移動することで操作性を向上させることができる。
【産業上の利用可能性】
【００６４】
以上のように、本発明にかかる携帯電子機器は、文字情報を凹凸によって表示するのに有用である。
【符号の説明】
【００６５】
１０  携帯電子機器
１３  操作キー
１４  専用キー
１５  マイク
１６  レシーバ
２２  制御部
２４  記憶部
２６  送受信部
２６ａ  アンテナ
２８  操作部
３０  音声処理部
３２  画像表示部
３４  文字表示部
３６  入力検出部
３８  筐体
【図１】
2011154558.tif 000003
【図２−１】
2011154558.tif 000004
【図２−２】
2011154558.tif 000005
【図３−１】
2011154558.tif 000006
【図３−２】
2011154558.tif 000007
【図４】
2011154558.tif 000008
【図５−１】
2011154558.tif 000009
【図５−２】
2011154558.tif 000010
【図６】
2011154558.tif 000011
【図７】
2011154558.tif 000012
【図８】
2011154558.tif 000013